(57)【要約】【課題】予め定められた通信規格に合致するインピーダンスを迅速に決定する。【解決手段】ＦＡＸ通信部３０は、Ｖ，Ｉの値が所定のＶ−Ｉ特性線Ｊに一致するインピーダンスの値を決定し直流捕捉回路２０を調整する場合において、Ｖ−Ｉ特性線Ｊと、Ｖ，Ｉが定電圧特性で定まる関係を表す直線Ｋと、に基づいてＶおよびＩの値を決定し、決定されたＶ，Ｉの値と直線Ｋとからインピーダンスの推定値を決定し、決定された推定値を用いて直流捕捉回路２０の調整を行い、インピーダンス調整処理後のＶ，ＩがＶ−Ｉ特性線Ｊに一致する場合、推定値をインピーダンスの値として決定し、インピーダンス調整処理後のＶ，ＩがＶ−Ｉ特性線Ｊに一致せず、かつ、インピーダンス調整処理の前のＩ１とインピーダンス調整処理後のＩ２とが一致する場合、Ｖ−Ｉ特性線Ｊ上の閉結電圧Ｖｏの値を閉結電流値Ｉｏで割ったＺｏをインピーダンスの値として決定する。【選択図】図２
2019179988.tif 000002
【特許請求の範囲】
【請求項１】
電話回線と接続可能な２つの端子を有する回線接続端子と、
前記回線接続端子の前記２つの端子の各端子と一対の接続線によって接続され、前記一対の接続線間の閉結および開放を切り替え、前記一対の接続線間の電圧および前記一対の接続線に流れる電流を計測し、更に、前記一対の接続線によって接続される前記回線接続端子との間の抵抗成分であるインピーダンスを調整するインピーダンス調整回路を有する通信部と、
を備え、
前記通信部は、
前記一対の接続線間の閉結時における前記電圧である閉結電圧と前記一対の接続線間の閉結時における前記電流である閉結電流との関係である所定のＶ−Ｉ特性が記憶され、
前記閉結電圧の値および前記閉結電流の値が前記Ｖ−Ｉ特性に一致する前記インピーダンスの値を決定し前記インピーダンス調整回路を調整する場合において、
前記Ｖ−Ｉ特性と、前記閉結時の前記閉結電圧と前記閉結電流とが定電圧特性で定まる関係と、に基づいて前記閉結電圧の値および前記閉結電流の値を決定し、その決定された前記閉結電圧の値および前記閉結電流の値と前記関係とから前記インピーダンスの推定値を決定する推定値決定処理と、
前記推定値決定処理によって決定される前記推定値を用いて前記インピーダンス調整回路の調整を行うインピーダンス調整処理と、
前記インピーダンス調整処理後の前記閉結電圧の値および前記閉結電流の値が前記Ｖ−Ｉ特性に一致する場合、前記推定値を前記インピーダンスの値として決定し、前記インピーダンス調整処理後の前記閉結電圧の値および前記閉結電流の値が前記Ｖ−Ｉ特性に一致しない場合であって、かつ、前記インピーダンス調整処理の前の前記閉結電流の値と前記インピーダンス調整処理後の前記閉結電流の値とが一致する場合、前記Ｖ−Ｉ特性上の前記閉結電流の値における前記閉結電圧の値を前記閉結電流の値で割った値を前記インピーダンスの値として決定するインピーダンス決定処理と、
を実行する通信装置。
【請求項２】
請求項１記載の通信装置であって、
前記通信部は、
前記インピーダンス決定処理において、
前記インピーダンス調整処理後の前記閉結電圧の値および前記閉結電流の値が前記Ｖ−Ｉ特性に一致しない場合であって、かつ、前記インピーダンス調整処理後の前記閉結電流の値と前記インピーダンス調整処理後の前記閉結電流の値とが一致しない場合、再度、前記推定値決定処理を実行して前記インピーダンスの値を決定する、
通信装置。
【請求項３】
請求項２記載の通信装置であって、
前記通信部は、
更に、記憶部を有し、
前記インピーダンス決定処理において、
前記割った値が前記インピーダンスの値として決定された場合、前記割った値を前記記憶部に記憶させ、前記閉結時において、前記記憶部に記憶された前記割った値をインピーダンスの値として決定する、
通信装置。
【請求項４】
請求項３記載の通信装置であって、
前記通信部は、
前記割った値が前記記憶部に記憶されている状態で、前記電話回線が前記回線接続端子から抜かれた場合において、前記推定値決定処理と前記インピーダンス調整処理と前記インピーダンス決定処理とを新たに実行する、
通信装置。
【請求項５】
電話回線と接続可能な２つの端子を有する回線接続端子と、
前記回線接続端子の前記２つの端子の各端子と一対の接続線によって接続され、前記一対の接続線間の閉結および開放を切り替え、前記一対の接続線間の電圧および前記一対の接続線に流れる電流を計測し、更に、前記一対の接続線によって接続される前記回線接続端子との間の抵抗成分であるインピーダンスを調整するインピーダンス調整回路を有する通信部と、を備える通信装置における、
前記一対の接続線間の閉結時における前記電圧である閉結電圧と前記一対の接続線間の閉結時における前記電流である閉結電流との関係である所定のＶ−Ｉ特性が記憶された、前記通信装置で実行されるインピーダンス決定方法であって、
前記閉結電圧の値および前記閉結電流の値が前記Ｖ−Ｉ特性に一致する前記インピーダンスの値を決定し前記インピーダンス調整回路を調整する場合において、
前記Ｖ−Ｉ特性と、前記閉結時の前記閉結電圧と前記閉結電流とが定電圧特性で定まる関係と、に基づいて前記閉結電圧の値および前記閉結電流の値を決定し、その決定された前記閉結電圧の値および前記閉結電流の値と前記関係とから前記インピーダンスの推定値を決定する推定値決定ステップと、
前記推定値決定ステップによって決定される前記推定値を用いて前記インピーダンス調整回路の調整を行うインピーダンス調整ステップと、
前記インピーダンス調整ステップの調整後の前記閉結電圧の値および前記閉結電流の値が前記Ｖ−Ｉ特性に一致する場合、前記推定値を前記インピーダンスの値として決定し、前記インピーダンス調整ステップの調整後の前記閉結電圧の値および前記閉結電流の値が前記Ｖ−Ｉ特性に一致しない場合であって、かつ、前記インピーダンス調整ステップの調整前の前記閉結電流の値と前記インピーダンス調整ステップの調整後の前記閉結電流の値とが一致する場合、前記Ｖ−Ｉ特性上の前記閉結電流の値における前記閉結電圧の値を前記閉結電流の値で割った値を前記インピーダンスの値として決定するインピーダンス決定ステップと、
を実行する、インピーダンス決定方法。
【発明の詳細な説明】
【技術分野】
【０００１】
本発明は、電話回線が接続される通信装置、およびその通信装置が実行するインピーダンス決定方法に関する。
【背景技術】
【０００２】
従来、電話回線と接続可能な２つの端子を有する回線接続端子と、一対の接続線間の閉結および開放を切り替える通信部と、を備える通信装置が知られている。また、通信部が公衆回線網のような回線接続端子に電話回線を介して接続される接続先との間で良好な音声データや画像データなどの送受信が可能とするため、一対の接続線間の閉結時における電圧である閉結電圧と一対の接続線間の閉結時における電流である閉結電流との関係を示したＶ−Ｉ特性が予め通信規格に基づいて定められている。そして、通信装置は、閉結時において、閉結電圧と閉結電流とが所定のＶ−Ｉ特性に合うように、回線接続端子と通信部との間の抵抗成分であるインピーダンスを調整する。
【０００３】
近年、公衆回線網に替わってターミナルアダプタ（ＴＡ）が、通信装置の回線接続端子に接続される場合がある。公衆回線網の場合、閉結時の閉結電圧と閉結電流は、定電圧特性によって決定されるが、ターミナルアダプタが、通信装置の回線接続端子に接続される場合、閉結時の閉結電圧と閉結電流は定電流特性によって決定されるため、所定のＶ−Ｉ特性に合わせることが困難であり、インピーダンスの調整がうまくいかない場合があった。
【０００４】
そこで、特許文献１に記載の通信装置では、第１の直流インピーダンス調整を行い、その調整後、検出結果に基づいて回線の状態を検出し、回線の状態が正常でないと判断した場合、回線の状態に応じた第２の直流インピーダンス調整を行うように制御していた。
【先行技術文献】
【特許文献】
【０００５】
【特許文献１】特開２０１７−６００７６号公報
【発明の概要】
【発明が解決しようとする課題】
【０００６】
特許文献１の記載の通信装置では、公衆回線網用の直線の関係を用いる第１の直流インピーダンス調整を行い、回線の状態が正常でないと判断した場合、回線の状態に応じた第２の直流インピーダンス調整を再度行う。その結果、インピーダンスの調整に時間がかかるため、予め定められた通信規格に合致するインピーダンスを迅速に決定することができなかった。
【０００７】
本発明の目的は、予め定められた通信規格に合致するインピーダンスを迅速に決定することができる通信装置およびインピーダンス決定方法を提供することにある。
【課題を解決するための手段】
【０００８】
上記目的を達成するために、本願発明は、電話回線と接続可能な２つの端子を有する回線接続端子と、前記回線接続端子の前記２つの端子の各端子と一対の接続線によって接続され、前記一対の接続線間の閉結および開放を切り替え、前記一対の接続線間の電圧および前記一対の接続線に流れる電流を計測し、更に、前記一対の接続線によって接続される前記回線接続端子との間の抵抗成分であるインピーダンスを調整するインピーダンス調整回路を有する通信部と、を備え、前記通信部は、前記一対の接続線間の閉結時における前記電圧である閉結電圧と前記一対の接続線間の閉結時における前記電流である閉結電流との関係である所定のＶ−Ｉ特性が記憶され、前記閉結電圧の値および前記閉結電流の値が前記Ｖ−Ｉ特性に一致する前記インピーダンスの値を決定し前記インピーダンス調整回路を調整する場合において、前記Ｖ−Ｉ特性と、前記閉結時の前記閉結電圧と前記閉結電流とが定電圧特性で定まる関係と、に基づいて前記閉結電圧の値および前記閉結電流の値を決定し、その決定された前記閉結電圧の値および前記閉結電流の値と前記関係とから前記インピーダンスの推定値を決定する推定値決定処理と、前記推定値決定処理によって決定される前記推定値を用いて前記インピーダンス調整回路の調整を行うインピーダンス調整処理と、前記インピーダンス調整処理後の前記閉結電圧の値および前記閉結電流の値が前記Ｖ−Ｉ特性に一致する場合、前記推定値を前記インピーダンスの値として決定し、前記インピーダンス調整処理後の前記閉結電圧の値および前記閉結電流の値が前記Ｖ−Ｉ特性に一致しない場合であって、かつ、前記インピーダンス調整処理前の前記閉結電流の値と前記インピーダンス調整処理後の前記閉結電流の値とが一致する場合、前記Ｖ−Ｉ特性上の前記閉結電流の値における前記閉結電圧の値を前記閉結電流の値で割った値を前記インピーダンスの値として決定するインピーダンス決定処理と、を実行することを特徴とする。
【０００９】
本構成の通信装置では、インピーダンス調整を行った結果、閉結電圧と閉結電流とがＶ−Ｉ特性に一致しない場合であって、かつ、インピーダンス調整前の閉結電流とインピーダンス調整後の閉結電流とが一致する場合、Ｖ−Ｉ特性上の閉結電流の値における閉結電圧の値を閉結電流の値で割った値をインピーダンスの値として決定する。
故に、本構成の通信装置は、定電流特性のターミナルアダプタが回線接続端子に接続されている場合であっても、なんらかのインピーダンス調整を複数回実施した上でインピーダンスを決定する必要が無く、少なくとも１回インピーダンス調整を実行すれば、予め定められた通信規格に合致するインピーダンスを迅速に決定することができる。
【発明の効果】
【００１０】
本発明によれば、予め定められた通信規格に合致するインピーダンスを迅速に決定することができる。
【図面の簡単な説明】
【００１１】
【図１】本発明の一実施形態に係るＭＦＰの電気的構成を示すブロック図である。
【図２】直流捕捉回路の詳細構成を表す回路図である。
【図３】Ｖ−Ｉ特性線の一例を表すグラフである。
【図４】公衆回線網が接続される場合における、交換局との接続を説明する説明図、および、インピーダンスの決定手法の概要を説明するグラフである。
【図５】ターミナルアダプタが接続される場合を説明する説明図である。
【図６】従来手法によるインピーダンスの決定手法の概要、および、その際における回線電圧の経時挙動を説明するグラフである。
【図７】インピーダンスの決定手法の概要、および、その際における回線電圧の経時挙動を説明するグラフである。
【図８】モデムのＣＰＵが実行する制御手順を表すフローチャートである。
【図９】ＶＩ調整処理（ステップＳ１００）の詳細手順を表すフローチャートである。
【図１０】第１インピーダンス決定処理（ステップＳ２００）の詳細手順を表すフローチャートである。
【図１１】第２インピーダンス決定処理（ステップＳ３００）の詳細手順を表すフローチャートである。
【発明を実施するための形態】
【００１２】
以下では、本発明の実施の形態について、添付図面を参照しつつ詳細に説明する。本実施形態は、本発明を、ＭＦＰ（Ｍｕｌｔｉ−Ｆｕｎｃｔｉｏｎ  Ｐｅｒｉｐｈｅｒａｌ）１に適用した場合の実施形態である。なお、ＭＦＰ１は、通信装置の一例である。
【００１３】
＜内部構成＞
図１において、ＭＦＰ１は、ＦＡＸ通信部３０と、特定用途向け集積回路であるＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）４１と、図示しない画像形成部および画像読取部と、を備える。なお、ＦＡＸ通信部３０は、通信部の一例である。
【００１４】
ＦＡＸ通信部３０は、回線接続端子１１に接続される。回線接続端子１１には、電話回線６０が着脱可能に接続される。ＦＡＸ通信部３０は、電話回線６０を介して接続される交換機を介して、相手先のファックス装置からＦＡＸ画像データを受信、又は、相手先のファックス装置に対してＦＡＸ画像データを送信することが可能となる。
【００１５】
回線接続端子１１は、ＭＦＰ１をケーブルである電話回線６０に接続可能に設けられた２つの端子１１Ａ，１１Ｂを備える。端子１１Ａ，１１Ｂは、それぞれ接続線Ｌａ，Ｌｂが接続されている。接続線Ｌａ，Ｌｂの一端は端子１１Ａに接続され、接続線Ｌａ，Ｌｂの他端は後述するＤＡＡ１３に接続される。
【００１６】
ＡＳＩＣ４１は、ＣＰＵ４０と、レジスタ４２と、を備えている。ＣＰＵ４０は、ＡＳＩＣ４１に入力される情報に基づいて、各種の処理のためのプログラムを実行する。そして、ＣＰＵ４０は、ＦＡＸ通信部３０、画像形成部および画像読取部、等を制御する。
【００１７】
画像形成部は、ＦＡＸ通信部３０が受信した画像データをシートに画像形成することができる。  画像読取部は、シートに形成された画像をシートから読み取り、画像データとして記憶させる。
【００１８】
＜ＦＡＸ通信部の詳細＞
ＦＡＸ通信部３０は、直流捕捉回路２０と、データアクセスアレンジメント１３（以下適宜、「ＤＡＡ１３」と称する）と、トランス１４と、モデム２３と、を有する。
【００１９】
＜直流捕捉回路＞
直流捕捉回路２０は、接続線Ｌａ上の接点Ｎ１と、接続線Ｌｂ上の接点Ｎ２とにそれぞれ接続されている。直流捕捉回路２０は、図２に示すように、ＮＰＮ型の直流捕捉トランジスタＴｒを備える。直流捕捉トランジスタＴｒのコレクタは、例えば接続線Ｌｂに接続され、エミッタは抵抗Ｒを介し接続線Ｌａに接続されている。また、直流捕捉トランジスタＴｒのベースは、後述する閉結制御部１９が接続されており、閉結制御部１９からの指示信号によって直流捕捉トランジスタＴｒがオンオフする。
【００２０】
直流捕捉回路２０は、閉結制御部１９からの指示信号により直流捕捉トランジスタＴｒがオンとなった場合、電話回線６０を介して接続される交換機との間で閉回路が形成されて回路電流が流れる閉結状態となる。その際、その閉結制御部１９からの指示信号に応じて内部インピーダンスを変更し、回路電流を増減制御可能である。また直流捕捉回路２０は、閉結制御部１９からの指示信号により直流捕捉トランジスタＴｒがオフとなった場合、閉回路が形成されない開放状態となる。なお、直流捕捉回路２０は、インピーダンス調整回路の一例である。
【００２１】
＜ＤＡＡ＞
図１に戻り、ＤＡＡ１３は、電圧電流計測部１５と、呼出信号検出部／開放電圧計測部２２と、閉結制御部１９と、を備える
【００２２】
閉結制御部１９は、モデム２３からの指示を、トランス１４を介して受け、その指示に基づいて直流捕捉回路２０内の直流捕捉トランジスタＴｒをオンオフする制御信号を出力する。これにより、直流捕捉回路２０内の直流捕捉トランジスタＴｒが制御されることで、前述のように接続線Ｌａ，Ｌｂ間の閉結および開放を切り替える。
【００２３】
呼出信号検出部／開放電圧計測部２２は、ＭＦＰ１がファクシミリ受信する際、交換機が出力する回線電圧に変動成分を重畳させた信号である呼出信号を検出する。呼出信号検出部／開放電圧計測部２２が呼出信号を受信する際は、直流捕捉回路２０内の直流捕捉トランジスタＴｒがオフの場合、すなわち、閉回路が形成されない状態で検出する。そして、直流捕捉回路２０内の直流捕捉トランジスタＴｒがオンの状態、すなわち、交換機との間で閉回路が形成されている場合には、呼出信号を除く発信者番号通知信号や相手先のファックス装置から送信されるＦＡＸ画像データ等の各種ＦＡＸ信号をＤＡＡ１３が受信することができる。また、ＤＡＡ１３は、画像読取部により読み取られた画像データを、モデム２３、トランス１４を介して送信することができる。
【００２４】
電圧電流計測部１５は、接続線Ｌａ，Ｌｂ間の閉結状態において、端子１１Ａ，１１Ｂ間、すなわち接続線Ｌａ，Ｌｂ間の電圧値を計測する機能を有する。なお、接続線Ｌａ，Ｌｂ間の開放状態における接続線Ｌａ，Ｌｂ間の電圧値は、前述の呼出信号検出部／開放電圧計測部２２によって計測される。計測した電圧値は、トランス１４を介し、後述するモデム２３のレジスタ２５に書き込まれる。
【００２５】
ここで、交換機は、例えば端子１１Ａ側をゼロ基準として端子１１Ｂ側に４８［Ｖ］が印加されるように、一定の回線電圧を印加している。したがって、端子１１Ａ，１１Ｂに電話回線６０が接続されている場合であって直流捕捉回路２０内の直流捕捉トランジスタＴｒがオフの開放状態の場合、呼出信号検出部／開放電圧計測部２２が、このときの回線電圧、すなわち開放電圧として４８［Ｖ］を検出する。そして、トランス１４を介し、レジスタ２５にその検出した電圧値４８［Ｖ］が書き込まれる。なお、説明の理解の容易のために、以下、開放電圧が４８［Ｖ］の場合を例にとって説明するが、開放電圧の値はこの４８［Ｖ］に限られるものではない。
【００２６】
端子１１Ａ，１１Ｂに電話回線６０が接続されている場合であって、直流捕捉回路２０内の直流捕捉トランジスタＴｒがオンである閉結状態の場合、直流捕捉回路２０と接続線Ｌａ，Ｌｂとによって形成される閉回路に電流が流れる。すると、接続線Ｌａ，Ｌｂ、直流捕捉回路２０が有する抵抗成分によって電圧降下が生じ、端子１１Ａ，１１Ｂの各端子間の電圧値すなわち閉結電圧は、開放電圧の４８［Ｖ］より低い電圧となる。この場合は電圧電流計測部１５がその降下した電圧を検出し、検出された電圧値はトランス１４を介しレジスタ２５に書き込まれる。
【００２７】
また、電圧電流計測部１５はさらに、接続線Ｌａ，Ｌｂ間を流れる電流値を算出する機能を有する。本実施形態においては、直流捕捉回路２０内の直流捕捉トランジスタＴｒがオンである閉結状態の場合に検出された電流値、すなわち閉結電流値は、トランス１４を介し、レジスタ２５に書き込まれる。
【００２８】
＜モデム＞
モデム２３は、トランス１４を介してＤＡＡ１３に接続されている。トランス１４は、絶縁状態を保持しつつモデム２３とＤＡＡ１３とで情報をやり取りする回路である。すなわち、モデム２３は、トランス１４を介して送られるＦＡＸ受信信号を復調し、ＡＳＩＣ４１に出力、又は、ＡＳＩＣ４１から送られるＦＡＸ送信データを変調して、トランス１４に出力することで、信号の変復調を行う。
【００２９】
また、モデム２３は、ＣＰＵ２４とレジスタ２５とを有している。モデム２３のＣＰＵ２４は、前述のようにして電圧電流計測部１５又は呼出信号検出部／開放電圧計測部２２によって検出された電圧値および電流値を定期的に読み取って、レジスタ２５に書き込む。
【００３０】
なお、図示を省略するが、モデム２３に備えられた適宜のメモリには、後述の図８〜図１１にそれぞれ示す各フローチャートを実行するための制御プログラムを含む、各種制御プログラムが記憶されている。モデム２３のＣＰＵ２４は、メモリから読み出したプログラムに従って各部の制御を行うとともに、後述する図８〜図１１にそれぞれ示す各フローチャートを実行する。
【００３１】
＜Ｖ−Ｉ特性に合わせるためのインピーダンス調整＞
ここで、ＭＦＰ１においては、閉結電流と閉結電圧値とが適切な値となるように事前に調整する必要があった。そこで、電話回線６０を介して接続される接続先との間で良好な送受信を可能とするための閉結電圧と閉結電流との関係を示したＶ−Ｉ特性が、予め通信規格に基づいて定められている。その特性を表すＶ−Ｉ特性線の一例を図３に示す。図３において、このＶ−Ｉ特性線Ｊでは、例えば閉結電流Ｉが比較的小さい領域においては、信号の送受時に歪みが発生しやすいことから、閉結電圧Ｖが大きくすなわちインピーダンスが比較的大きくなるように設定されている。また例えば閉結電流Ｉが比較的大きい領域においては、直流捕捉回路２０での発熱を抑える目的で、閉結電圧Ｖが小さくすなわちインピーダンスが比較的小さくなるように設定されている。なお、このＶ−Ｉ特性線Ｊの内容は、例えばモデム２３内の適宜の箇所に記憶されている。
【００３２】
ＭＦＰ１は、閉結時においては、ＤＡＡ１３の閉結制御部１９が直流捕捉回路２０内の直流捕捉トランジスタＴｒへ制御信号を出力してベース電流を変更し、直流捕捉トランジスタＴｒの内部抵抗を適宜に調整する。この結果、回線接続端子１１とＦＡＸ通信部３０との間の抵抗成分であるインピーダンスは、電圧電流計測部１５が検出する閉結電圧および閉結電流が図３のＶ−Ｉ特性線Ｊに合うように、調整される。
【００３３】
＜公衆回線網の場合＞
電話回線６０を介して接続される接続先としては、従来、公衆回線網（ＰＳＴＮ）が主流であった。図４（ａ）に示されるように、公衆回線網の場合には、ＭＦＰ１の接続線Ｌａ，Ｌｂが交換局ＴＰに接続される。このとき、交換局ＴＰは、定電圧となる出力特性を備えているため、ＭＦＰ１の閉結時における閉結電圧Ｖと閉結電流Ｉは、交換局ＴＰの定電圧特性によって決定される。すなわち、前述の例に沿うと、固定値である交換局ＴＰの直流抵抗値（以下適宜、「固定インピーダンス」と称す）をＺｐとして、
Ｖ＝４８−Ｚｐ×Ｉ  ・・  （式１）  
が成り立つ。したがって、この場合、図４（ｂ）に示すように、図３に示したＶ−Ｉ特性線Ｊと、式１の直線Ｋとの交点Ｌが求められ、その交点Ｌの電圧ＶＡおよび電流ＩＡを与えるようなインピーダンスＺＡが式１により算出されて、そのインピーダンスＺＡを与えるように、直流捕捉回路２０内の直流捕捉トランジスタＴｒの内部インピーダンスＺが調整される。
【００３４】
＜ターミナルアダプタの場合＞
ところで、近年、公衆回線網に代わり、光回線等が主流となりつつある。この場合、ＭＦＰ１の接続先として、図５に示されるように、住宅内に設置されるターミナルアダプタＴＡが接続される場合がある。ターミナルアダプタＴＡは、公衆回線網の交換機とは異なり、通常、一定の電流しか供給できないように制限された定電流の出力特性を備えている。そのため、ＭＦＰ１の閉結時における閉結電圧Ｖと閉結電流Ｉは、ターミナルアダプタＴＡのその定電流機能によって決定される。すなわち、前述の直流捕捉トランジスタＴｒの内部インピーダンスをＺ、ターミナルアダプタＴＡの定電流機能により決定され固定的に維持される電流値をＩｏとして、
Ｖ＝Ｚ×Ｉｏ  ・・  （式２）  
が成り立つ関係となる。したがって、この場合、図４（ｂ）の場合と異なり、図３に示した所定のＶ−Ｉ特性に合わせることが困難となるおそれがある。以下、このことを図６（ａ）および図６（ｂ）によりさらに詳細に説明する。
【００３５】
すなわち、図４（ｂ）と同様の図６（ａ）において、例えばＭＦＰ１の閉結後において電圧電流計測部１５が計測した閉結電圧Ｖおよび閉結電流Ｉの値が点Ａに相当する値（以下適宜、単に「点Ａ」等と称す）となった場合、ＭＦＰ１は、図４（ｂ）で前述した手法により直流捕捉トランジスタＴｒの内部インピーダンスＺを変化させて、直線ＫとＶ−Ｉ特性線Ｊとの交点Ｌへ向けて図６（ａ）中の（１）のような調整を行おうとする。しかしながらこのとき、前述したターミナルアダプタＴＡの定電流機能により電流が一定値Ｉｏに維持されることで、実際は図６（ａ）中（１′）で示す調整が行われ、閉結電圧Ｖおよび閉結電流Ｉの値は点Ｂへとシフトする。
【００３６】
Ｖ−Ｉ特性線Ｊを超えてしまったことから、ＭＦＰ１は、再度、内部インピーダンスＺを変化させて図６（ａ）中の（２）のようにＶ−Ｉ特性線Ｊ側へ戻そうと調整するが、やはりターミナルアダプタＴＡの定電流機能の影響により実際は図６（ｂ）中の（２′）で示す調整が行われる結果、閉結電圧Ｖおよび閉結電流Ｉの値は再度Ｖ−Ｉ特性線Ｊを超えて点Ｃへとシフトする。
【００３７】
以降、上記同様にＭＦＰ１による調整とターミナルアダプタＴＡの定電流機能との干渉により、点Ｃから（３′）で示す調整により点Ｄへ、点Ｄから（４′）で示す調整により点Ｅへのような挙動となり、図６（ｂ）に示すように、閉結電圧Ｖおよび閉結電流Ｉの値が収束するのに多大な時間を要する場合がある。
【００３８】
＜実施形態の手法の概要＞
そこで、本実施形態においては、ＭＦＰ１は、モデム２３のＣＰＵ２４の制御により、以下のような手法でインピーダンス調整を行う。
【００３９】
すなわち、図６（ａ）に対応する図７（ａ）に示すように、閉結後の閉結電圧Ｖおよび閉結電流Ｉの値が点Ａとなった場合、ＭＦＰ１は、前述と同様、内部インピーダンスＺを変化させて、直線ＫとＶ−Ｉ特性線Ｊとの交点Ｌへ向けて（１）の調整を試みる。その結果、図６（ａ）と同様、ターミナルアダプタＴＡの定電流機能により、実際は図７（ａ）中（１′）で示す調整となり、閉結電圧Ｖおよび閉結電流Ｉの値は点Ｂへとシフトする。
【００４０】
このとき、電圧電流計測部１５において、前述の（１′）の調整の前後で電流値が定電流機能によるＩｏに維持されていることが検出されることから、ＣＰＵ２４は、上述のようにターミナルアダプタＴＡの定電流機能が影響していると決定する。
【００４１】
そして、ＣＰＵ２４は、これ以降の調整が上記電流値Ｉｏの維持を前提に行われることを参酌し、Ｖ−Ｉ特性線Ｊ上において電流値がＩｏとなる点Ｃｏを決定するとともに、その点Ｃｏにおける電流Ｉｏおよび電圧Ｖｏに基づき、それらを与えるようなインピーダンスＺｏを式２により算出する。そして、ＣＰＵ２４は、そのインピーダンスＺｏを与えるように、直流捕捉回路２０内の直流捕捉トランジスタＴｒの内部インピーダンスＺを調整する。その結果、図７（ａ）中（２）ｏで示す調整が行われ、閉結電圧Ｖおよび閉結電流Ｉの値は、点Ｂから、Ｖ−Ｉ特性線Ｊ上の点Ｃｏへとシフトする。これにより、Ｖ−Ｉ特性線Ｊで保証された特性を得ることができるので、インピーダンス調整は完了する。
【００４２】
＜制御手順＞
上述の手法を実現するために、モデム２３のＣＰＵ２４が実行する制御手順を図８に示す。
【００４３】
＜メインフロー  その１＞
図８において、まずステップＳ５で、ＣＰＵ２４は、直流捕捉回路２０内の直流捕捉トランジスタＴｒがオフである開放状態における、呼出信号検出部／開放電圧計測部２２の開放電圧計測に基づき、開放電圧を決定する。
【００４４】
その後、ステップＳ１０で、ＣＰＵ２４は、後述の第２インピーダンス決定処理がなされたことを表すフラグがＯＮになっているか否かを決定する。ＣＰＵ２４は、フラグがＯＦＦのままであれば（Ｓ１０：ＮＯ）、ステップＳ１５に移る。
【００４５】
ステップＳ１５では、ＣＰＵ２４は、例えばモデム２３内の適宜の箇所に予め記憶されていた、図４（ｂ）を用いて前述した公衆回線用のインピーダンスの初期値ＺＡを、後述のステップＳ１００にて使用する調整インピーダンスＺｉに代入する。その後、ＣＰＵ２４は、後述のステップＳ２５に移る。
【００４６】
一方、ステップＳ１０においてフラグがＯＮとなっていれば（Ｓ１０：ＹＥＳ）、ＣＰＵ２４は、ステップＳ２０に移る。
【００４７】
ステップＳ２０では、ＣＰＵ２４は、この時点で例えばモデム２３内の適宜の箇所に記憶されていた、図７を用いて前述したターミナルアダプタ用のインピーダンスの初期値Ｚｏを、後述のステップＳ１００にて使用する調整インピーダンスＺｉに代入する。ＣＰＵ２４は、その後、ステップＳ２５に移る。
【００４８】
ステップＳ２５では、ＣＰＵ２４は、ＭＦＰ１に備えられた図示しない操作部の操作によりＤＡＡ１３においてＦＡＸ送信命令が受信されたか、若しくは、呼出信号検出部／開放電圧計測部２２において電話回線６０からの呼出信号すなわちＲＩＮＧ信号が受信されたか、否かを決定する。これらＦＡＸ送信命令及びＲＩＮＧ信号のいずれも受信されていなければ（Ｓ５０：ＮＯ）、ＣＰＵ２４は、後述のステップＳ５０に移る。ＦＡＸ送信命令及びＲＩＮＧ信号のいずれかが受信されていれば（Ｓ５０：ＹＥＳ）、ＣＰＵ２４は、ステップＳ３０に移る。
【００４９】
ステップＳ３０では、ＣＰＵ２４は、閉結制御部１９を介して直流捕捉回路２０に指示信号を出力し直流捕捉トランジスタＴｒの内部抵抗Ｚを増減することで、回線接続端子１１とＦＡＸ通信部３０との間のインピーダンスを、ステップＳ１５又はステップＳ２０において決められている調整インピーダンスＺｉの値となるように調整する。
【００５０】
その後、ステップＳ３５で、ＣＰＵ２４は、閉結制御部１９により、接続線Ｌａ，Ｌｂ間の閉結を実行する。
【００５１】
その後、ＣＰＵ２４は、ステップＳ１００のＶＩ調整処理を実行する。
【００５２】
＜ＶＩ調整処理  その１＞
ステップＳ１００のＶＩ調整処理の詳細手順を、図９に示す。
【００５３】
図９において、まずステップＳ１０５で、ＣＰＵ２４は、前述のフラグがＯＦＦであるか否かを決定する。フラグがＯＮとなっていれば（Ｓ１０５：ＮＯ）、ＣＰＵ２４は、このルーチンを終了して図８のステップＳ４０へ移行する。フラグがＯＦＦであれば（Ｓ１０５：ＹＥＳ）、ＣＰＵ２４は、ステップＳ１１０に移る。
【００５４】
ステップＳ１１０では、ＣＰＵ２４は、この時点で電圧電流計測部１５によって検出されレジスタ２５に記憶されている、閉結電圧Ｖ及び閉結電流Ｉの値を決定する。
【００５５】
その後、ステップＳ１１２で、ＣＰＵ２４は、ステップＳ１１０で決定された閉結電流Ｉの値を、電流値Ｉ１に代入し、記憶する。
【００５６】
その後、ステップＳ１１５で、ＣＰＵ２４は、ステップＳ１１０で決定された閉結電圧Ｖ及び閉結電流Ｉの値が、例えばモデム２３内の適宜の箇所に予め記憶されていた、図３に示したＶ−Ｉ特性線Ｊに一致するか否か、言い替えれば、閉結電圧Ｖ及び閉結電流Ｉの値を図３のグラフにプロットしたときにＶ−Ｉ特性線Ｊ上に存在するか否か、を決定する。Ｖ−Ｉ特性線Ｊに一致した場合は（Ｓ１１５：ＹＥＳ）、ＣＰＵ２４は、このルーチンを終了して図８のステップＳ４０へ移行する。Ｖ−Ｉ特性線Ｊに一致しなかった場合は（Ｓ１１５：ＮＯ）、ＣＰＵ２４は、ステップＳ１２０に移る。
【００５７】
ステップＳ１２０では、ＣＰＵ２４は、後述の第１インピーダンス処理の実行回数をカウントする変数Ｎを０に初期化する。その後、ＣＰＵ２４は、ステップＳ１２５に移る。
【００５８】
ステップＳ１２５では、ＣＰＵ２４は、変数Ｎの値を１インクリメントする。
【００５９】
その後、ＣＰＵ２４は、ステップＳ２００の第１インピーダンス決定処理を実行する。
【００６０】
＜第１インピーダンス決定処理＞
ステップＳ２００の第１インピーダンス決定処理の詳細手順を、図１０に示す。
【００６１】
図１０において、まずステップＳ２１０で、ＣＰＵ２４は、ステップＳ１１０で決定された閉結電圧Ｖ及び閉結電流Ｉの値に対し、前述の式１を適用して、固定インピーダンスＺｐを算出する。その後、ＣＰＵ２４は、ステップＳ２２０に移る。
【００６２】
ステップＳ２２０では、ＣＰＵ２４は、ステップＳ１１０で決定された閉結電圧Ｖ及び閉結電流Ｉの値と、ステップＳ２１０で算出された固定インピーダンスＺｐの値とを用いて、前述の図４により説明した直線Ｋを決定する。
【００６３】
その後、ステップＳ２３０に移り、ＣＰＵ２４は、前述の図４に示したように、ステップＳ２２０で決定した直線と、前述のＶ−Ｉ特性線Ｊとの交点Ｌを決定すると共に、その交点Ｌに対応する電圧値ＶＡ及び電流値ＩＡを特定し、これらＶＡ，ＩＡに対応する前述のインピーダンスＺＡを、ＶＡをＩＡで割ることによって算出する。なお、このステップＳ２３０が推定値決定ステップの一例であり、ステップＳ２３０で実行するこの処理が、推定値決定処理の一例である。
【００６４】
その後、ステップＳ２３５で、ＣＰＵ２４は、調整インピーダンスＺｉに、ステップＳ２３０で決定したインピーダンスＺＡの値を代入する。
【００６５】
そして、ステップＳ２４０で、ＣＰＵ２４は、閉結制御部１９を介して直流捕捉回路２０に指示信号を出力し直流捕捉トランジスタＴｒの内部抵抗Ｚを増減することで、回線接続端子１１とＦＡＸ通信部３０との間のインピーダンスを、ステップＳ２３５において決められた調整インピーダンスＺｉの値となるように調整する。その後、ＣＰＵ２４は、このルーチンを終了し、図９のステップＳ１３０へ移行する。なお、このステップＳ２４０がインピーダンス調整ステップの一例であり、ステップＳ２４０で実行するこの処理が、インピーダンス調整処理の一例である。
【００６６】
＜ＶＩ調整処理  その２＞
図９に戻り、ステップＳ１３０において、ＣＰＵ２４は、この時点で、すなわちステップＳ２００による第１インピーダンス決定処理が行われた後において電圧電流計測部１５によって検出されてレジスタ２５に記憶されている、閉結電圧Ｖ及び閉結電流Ｉの値を決定する。
【００６７】
その後、ステップＳ１３２で、ＣＰＵ２４は、ステップＳ１３０で決定された閉結電流Ｉの値を、電流値Ｉ２に代入し、記憶する。
【００６８】
その後、ステップＳ１３５で、ＣＰＵ２４は、ステップＳ１１５と同様、ステップＳ１３０で決定された閉結電圧Ｖ及び閉結電流Ｉの値が前述のＶ−Ｉ特性線Ｊに一致するか否か、を決定する。ＣＰＵ２４は、Ｖ−Ｉ特性線Ｊに一致した場合（Ｓ１３５：ＹＥＳ）、このルーチンを終了して図８のステップＳ４０へ移行する。ＣＰＵ２４は、Ｖ−Ｉ特性線Ｊに一致しなかった場合は（Ｓ１３５：ＮＯ）、ステップＳ１４０に移る。
【００６９】
ステップＳ１４０では、ＣＰＵ２４は、前述の変数Ｎの値がこの時点で５以上となっているか否かを決定する。ＣＰＵ２４は、５以上となっていれば（Ｓ１４０：ＹＥＳ）、このルーチンを終了して図８のステップＳ４０へ移行する。ＣＰＵ２４は、Ｎが５未満、言い替えれば４以下であれば（Ｓ１４５：ＮＯ）、ステップＳ１４５に移る。
【００７０】
ステップＳ１４５では、ＣＰＵ２４は、変数Ｎの値が１であるか否かを決定する。ＣＰＵ２４は、変数Ｎの値が１でなければ（Ｓ１４５：ＮＯ）、ステップＳ１２５に戻って同様の手順を繰り返す。ＣＰＵ２４は、変数Ｎの値がＮ＝１であれば（Ｓ１４５：ＹＥＳ）、ステップＳ１５０に移る。
【００７１】
ステップＳ１５０では、ＣＰＵ２４は、前述のステップＳ１１２で記憶したＩ１の値と、ステップＳ１３２で記憶したＩ２の値とが、互いに等しいか否かを決定する。なお、この等しいか否かの基準は、各機器の動作誤差・検出誤差の範囲内での偏差を含む、実質的に等しいか否か、とされる。Ｉ１とＩ２とが等しくなければ（Ｓ１５０：ＮＯ）、ＣＰＵ２４は、ステップＳ１２５に戻って同様の手順を繰り返す。ＣＰＵ２４は、Ｉ１とＩ１とが等しければ（Ｓ１５０：ＹＥＳ）、ステップＳ３００に移って第２インピーダンス決定処理を実行する。
【００７２】
＜第２インピーダンス決定処理＞
ステップＳ３００の第２インピーダンス決定処理の詳細手順を、図１１に示す。
【００７３】
図１１において、まずステップＳ３０８で、ＣＰＵ２４は、前述のようにステップＳ１１２で記憶したＩ１の値とステップＳ１３２で記憶したＩ２の値とが互いに等しくなっていることから、これらの値を、ターミナルアダプタＴＡの前述の定電流機能による電流値Ｉｏであるとみなす。その後、ＣＰＵ２４は、ステップＳ３１０へ移る。
【００７４】
ステップＳ３１０では、ＣＰＵ２４は、前述の図７に示したように、Ｖ−Ｉ特性線Ｊにおいて上述の電流値Ｉｏとなる点Ｃｏを決定すると共に、その点Ｃｏに対応する電圧値Ｖ０を特定し、これらＶｏ，Ｉｏに対応する前述のインピーダンスＺｏをＶｏをＩｏで割ることによって算出する。
【００７５】
その後、ステップＳ３１５で、ＣＰＵ２４は、調整インピーダンスＺｉに、ステップＳ３１０で決定したインピーダンスＺｏの値を代入する。
【００７６】
そして、ステップＳ３２０で、ＣＰＵ２４は、前述のステップＳ２４０と同様、閉結制御部１９を介して直流捕捉回路２０に指示信号を出力し直流捕捉トランジスタＴｒの内部抵抗Ｚを増減することで、回線接続端子１１とＦＡＸ通信部３０との間のインピーダンスを、ステップＳ３１５において決められた調整インピーダンスＺｉの値となるように調整する。
【００７７】
その後、ステップＳ３３０で、ＣＰＵ２４は、前述のフラグをＯＮとする。ＣＰＵ２４は、その後、ステップＳ３４０に移る。
【００７８】
ステップＳ３４０では、ＣＰＵ２４は、ステップＳ３１０で算出されたインピーダンスＺｏの値を、ターミナルアダプタＴＡ用のインピーダンス初期値とし、モデム内の適宜の箇所に記憶させる。なお、このモデム内の適宜の箇所が、記憶部の一例である。その後、ＣＰＵ２４は、このルーチンを終了し、図８のステップＳ４０に移行する。なお、以上説明したステップＳ３００と前述の図８のステップＳ２０とが、インピーダンス決定ステップの一例であり、これらステップＳ３００およびステップＳ２０で実行される処理が、インピーダンス決定処理の一例である。
【００７９】
＜メインフロー  その２＞
図８に戻り、ステップＳ４０において、ＣＰＵ２４は、ステップＳ３５での回線閉結状態への切替、および、ステップＳ１００でのＶＩ調整処理の完了を受けて、ＤＡＡ１３により、ＦＡＸの送受信処理を行う。その後、ＣＰＵ２４は、ステップＳ４５に移る。
【００８０】
ステップＳ４５では、ＣＰＵ２４は、閉結制御部１９により、接続線Ｌａ，Ｌｂ間の開放を実行する。その後、ＣＰＵ２４は、このフローを終了する。
【００８１】
一方、前述のステップＳ２５においてＦＡＸ送信命令及びＲＩＮＧ信号のいずれも受信されておらずに移行するステップＳ５０では、ＣＰＵ２４は、この時点で呼出信号検出部／開放電圧計測部２２により検出される回線電圧が予め定められた所定値未満であるか否か、言い替えれば、例えばＭＦＰ１が移動した等の理由により回線接続端子１１から電話回線６０が抜かれたか否か、を決定する。電話回線６０が抜かれることなく回線電圧が所定値以上であった場合は（Ｓ５０：ＮＯ）、ＣＰＵ２４は、このフローを終了する。電話回線６０が抜かれて回線電圧が所定値未満であった場合は（Ｓ５０：ＹＥＳ）、ＣＰＵ２４は、ステップＳ５５に移る。
【００８２】
ステップＳ５５では、ＣＰＵ２４は、前述のフラグをＯＦＦとする。その後、ＣＰＵ２４は、ステップＳ６０に移る。
【００８３】
ステップＳ６０では、ＣＰＵ２４は、ステップＳ１５と同様、例えばモデム２３内の適宜の箇所に予め記憶されていた、図４（ｂ）を用いて前述した公衆回線用のインピーダンスの初期値ＺＡを、調整インピーダンスＺｉに代入する。その後、ＣＰＵ２４は、ステップＳ２５に戻り、同様の手順を繰り返す。
【００８４】
＜実施形態の効果＞
以上説明したように、本実施形態のＭＦＰ１では、ステップＳ２１０〜ステップＳ２４０でのインピーダンス調整を行った結果、閉結電圧Ｖと閉結電流ＩとがＶ−Ｉ特性線Ｊに一致せず、かつ、ステップＳ２１０〜ステップＳ２４０でのインピーダンス調整前の閉結電流値Ｉ１とインピーダンス調整後の閉結電流値Ｉ１とが一致する場合には、Ｖ−Ｉ特性線Ｊ上の対応する閉結電圧Ｖｏの値を閉結電流値Ｉｏで割った値がインピーダンスＺｏの値として決定される。
故に、ＭＦＰ１では、定電流特性のターミナルアダプタＴＡが回線接続端子１１に接続されている場合であっても、なんらかのインピーダンス調整を複数回実施した上でインピーダンスを決定する必要が無く、少なくとも１回インピーダンス調整を実行すれば、予め定められた通信規格に合致するインピーダンスを迅速に決定することができる。
【００８５】
また、本実施形態では特に、ステップＳ３４０において、閉結電圧Ｖｏの値を閉結電流値Ｉｏで割った値を記憶部に記憶させ、その後のステップＳ３０の実行時に、記憶部に記憶された値をインピーダンスの値として決定する。
すなわち、一度、ステップＳ３００の第２インピーダンス決定処理において、閉結電圧Ｖｏの値を閉結電流値Ｉｏで割った値がインピーダンスの値として決定された場合、その後次に閉結する場合において、記憶部に記憶された割った値をインピーダンスの値として決定することができる。このとき、フラグをＯＮとすることによって、図９におけるステップＳ１０５からステップＳ４０へ移行する流れに示されるように、ステップＳ２３０、ステップＳ２４０、ステップＳ３００が再度行われることなく、インピーダンスを迅速に決定することができる。
【００８６】
また、本実施形態では特に、閉結電圧Ｖｏの値を閉結電流値Ｉｏで割った値が記憶部に記憶されている状態で、電話回線６０が回線接続端子１１から抜かれた場合には、ステップＳ２３０、ステップＳ２４０、ステップＳ３００等が再度新たに実行される。
すなわち、一対の接続線Ｌａ，Ｌｂ間の開放電圧が所定電圧以上であったものが所定電圧未満に変化した場合、電話回線６０が回線接続端子１１から抜かれた可能性が高い。そのため、そのような場合には、閉結電圧Ｖｏの値を閉結電流値Ｉｏで割った値が記憶部に記憶されていたとしても、フラグをＯＦＦにすることで、ステップＳ２３０、ステップＳ２４０、ステップＳ３００等が再度新たに実行される。これにより、改めて通信規格に合致するインピーダンスを決定することができる。
【００８７】
なお、以上において、図８〜図１１に示すフローチャートは本発明を上記フローに示す手順に限定するものではなく、発明の趣旨および技術的思想を逸脱しない範囲内で手順の追加・削除又は順番の変更等をしてもよい。
【００８８】
また、以上既に述べた以外にも、上記実施形態や各変形例による手法を適宜組み合わせて利用しても良い。
【００８９】
その他、一々例示はしないが、本発明は、その趣旨を逸脱しない範囲内において、種々の変更が加えられて実施されるものである。
【符号の説明】
【００９０】
１                ＭＦＰ
１１Ａ，１１Ｂ      端子
１１                回線接続端子
２０                直流捕捉回路（インピーダンス調整回路）
３０                ＦＡＸ通信部（通信部）
Ｌａ，Ｌｂ          接続線
【図１】
2019179988.tif 000003
【図２】
2019179988.tif 000004
【図３】
2019179988.tif 000005
【図４】
2019179988.tif 000006
【図５】
2019179988.tif 000007
【図６】
2019179988.tif 000008
【図７】
2019179988.tif 000009
【図８】
2019179988.tif 000010
【図９】
2019179988.tif 000011
【図１０】
2019179988.tif 000012
【図１１】
2019179988.tif 000013